(57)【要約】【課題】遠心ポンプの圧力脈動に起因する振動及び異音の発生を抑制する。【解決手段】遠心ポンプ１０は、モータ部１４により回転されるインペラ３０と、インペラ３０を収容するポンプ室１７を有するハウジング１１と、を備える。インペラ３０は、略円板状の主板３２と、主板３２の上面に放射状に立設された複数枚の羽根３６と、を備える。ハウジング１１は、インペラ３０の羽根３６側の中央部に対向する方向からポンプ室１７に流体を吸入する吸入口２０と、インペラ３０の回転にともないポンプ室１７の接線方向に流体を吐出する吐出口２２と、を有する。羽根３６の外側羽根部３８の前側面３８ａは、インペラ回転方向前方斜め上方に傾く傾斜面に形成される。【選択図】図１
2020133534.tif 000002
【特許請求の範囲】
【請求項１】
モータにより回転されるインペラと、該インペラを収容するポンプ室を有するハウジングと、を備えており、
前記インペラは、略円板状の主板と、該主板の表面に放射状に立設された複数枚の羽根と、を備えており、
前記ハウジングは、前記インペラの羽根側の中央部に対向する方向から前記ポンプ室に流体を吸入する吸入口と、前記インペラの回転にともない前記ポンプ室の接線方向に前記流体を吐出する吐出口と、を有する遠心ポンプであって、
前記羽根のインペラ径方向外側の外側羽根部において、インペラ回転方向前側に位置する前側面は、インペラ回転方向前方斜め反主板側に傾く傾斜面に形成されている、遠心ポンプ。
【請求項２】
請求項１に記載の遠心ポンプであって、
前記外側羽根部の前側面において、前記主板の表面に直交しかつ該前側面の反主板側の端部を通る直線に対する傾斜角度は、インペラ径方向内側から外側に向けて漸増する、遠心ポンプ。
【請求項３】
請求項１又は２に記載の遠心ポンプであって、
前記インペラの表面視において、該インペラの回転中心を通りかつ前記外側羽根部のインペラ径方向内側の端部を通る法線に対して、前記外側羽根部の少なくともインペラ径方向外側の端部の前側面の主板側の部分はインペラ回転方向前側に配置されかつ該前側面の反主板側の部分はインペラ回転方向後側に配置されている、遠心ポンプ。
【請求項４】
請求項１〜３のいずれか１つに記載の遠心ポンプであって、
前記外側羽根部の前後方向の厚さは、反主板側の端部から主板側の端部に向けて漸増する、遠心ポンプ。
【請求項５】
請求項４に記載の遠心ポンプであって、
前記外側羽根部のインペラ回転方向後側に位置する後側面は、前記主板の表面に直交する平面又は後方斜め反主板側に傾く傾斜面に形成されている、遠心ポンプ。
【請求項６】
モータにより回転されるインペラと、該インペラを収容するポンプ室を有するハウジングと、を備えており、
前記インペラは、略円板状の主板と、該主板の表面に放射状に立設された複数枚の羽根と、を備えており、
前記ハウジングは、前記インペラの羽根側の中央部に対向する方向から前記ポンプ室に流体を吸入する吸入口と、前記インペラの回転にともない前記ポンプ室の接線方向に前記流体を吐出する吐出口と、を有する遠心ポンプであって、
前記羽根のインペラ径方向外側の外側羽根部において、インペラ回転方向前側に位置する前側面は、インペラ回転方向前方斜め主板側に傾く傾斜面に形成されている、遠心ポンプ。
【請求項７】
請求項６に記載の遠心ポンプであって、
前記外側羽根部の前側面において、前記主板の表面に直交しかつ該前側面の反主板側の端部を通る直線に対する傾斜角度は、インペラ径方向内側から外側に向けて漸増する、遠心ポンプ。
【請求項８】
請求項６又は７に記載の遠心ポンプであって、
前記インペラの表面視において、該インペラの回転中心を通りかつ前記外側羽根部のインペラ径方向内側の端部を通る法線に対して、前記外側羽根部の前側面の反主板側の部分はインペラ回転方向前側に配置されかつ該前側面の主板側の部分はインペラ回転方向後側に配置されている、遠心ポンプ。
【請求項９】
請求項６〜８のいずれか１つに記載の遠心ポンプであって、
前記外側羽根部の前後方向の厚さは、反主板側の端部から主板側の端部に向けて漸増する、遠心ポンプ。
【請求項１０】
請求項９に記載の遠心ポンプであって、
前記主板には、前記外側羽根部の前側面に対向する開口部が形成されている、遠心ポンプ。
【発明の詳細な説明】
【技術分野】
【０００１】
本明細書に開示の技術は、遠心ポンプに関する。
【背景技術】
【０００２】
従来、例えば特許文献１に記載された遠心ポンプがある。その遠心ポンプは、モータにより回転されるインペラと、インペラを収容するポンプ室を有するハウジングと、を備える。インペラは、略円板状の主板と、主板の表面に放射状に立設された複数枚の羽根と、を備える。ハウジングは、インペラの羽根側の中央部に対向する方向からポンプ室に流体を吸入する吸入口と、インペラの回転にともないポンプ室の接線方向に流体を吐出する吐出口と、を有する。ハウジングには、ポンプ室と吐出口内の吐出流路とを仕切る舌状の仕切壁部いわゆる舌部が形成される。
【先行技術文献】
【特許文献】
【０００３】
【特許文献１】特開２００８−８２２６８号公報
【発明の概要】
【発明が解決しようとする課題】
【０００４】
特許文献１によると、複数枚の羽根は、径方向および軸方向にほぼストレートに延びるように形成される。このため、ハウジングの舌部に対して羽根のインペラ径方向外端部が通過するにともない、圧力が急激に上昇し、その通過直後に圧力が急激に低下する。したがって、圧力脈動が発生し、振動及び異音が発生するという問題があった。
【０００５】
本明細書に開示の技術が解決しようとする課題は、遠心ポンプの圧力脈動に起因する振動及び異音の発生を抑制することにある。
【課題を解決するための手段】
【０００６】
上記課題を解決するため、本明細書が開示する技術は次の手段をとる。
【０００７】
第１の手段は、モータにより回転されるインペラと、該インペラを収容するポンプ室を有するハウジングと、を備えており、前記インペラは、略円板状の主板と、該主板の表面に放射状に立設された複数枚の羽根と、を備えており、前記ハウジングは、前記インペラの羽根側の中央部に対向する方向から前記ポンプ室に流体を吸入する吸入口と、前記インペラの回転にともない前記ポンプ室の接線方向に前記流体を吐出する吐出口と、を有する遠心ポンプであって、前記羽根のインペラ径方向外側の外側羽根部において、インペラ回転方向前側に位置する前側面は、インペラ回転方向前方斜め反主板側に傾く傾斜面に形成されている、遠心ポンプである。
【０００８】
第１の手段によると、インペラの羽根の外側羽根部の前側面が前方斜め反主板側に傾く傾斜面に形成されている。したがって、ハウジングのポンプ室と吐出口内の吐出流路とを仕切る舌部に対して外側羽根部のインペラ径方向外端部が通過する吐出流路の開口面積が漸減される。このため、圧力の急激な上昇を緩和することができる。これにより、遠心ポンプの圧力脈動に起因する振動及び異音の発生を抑制することができる。
【０００９】
第２の手段は、第１の手段の遠心ポンプであって、前記外側羽根部の前側面において、前記主板の表面に直交しかつ該前側面の反主板側の端部を通る直線に対する傾斜角度は、インペラ径方向内側から外側に向けて漸増する、遠心ポンプである。
【００１０】
第２の手段によると、外側羽根部の前側面の内端側から外端側への傾斜により、インペラ径方向外方への流れをスムーズ化することができる。
【００１１】
第３の手段は、第１又は２の手段の遠心ポンプであって、前記インペラの表面視において、該インペラの回転中心を通りかつ前記外側羽根部のインペラ径方向内側の端部を通る法線に対して、前記外側羽根部の少なくともインペラ径方向外側の端部の前側面の主板側の部分はインペラ回転方向前側に配置されかつ該前側面の反主板側の部分はインペラ回転方向後側に配置されている、遠心ポンプである。
【００１２】
第３の手段によると、インペラの表面視において、法線に対して外側羽根部の少なくともインペラ径方向外側の端部の前側面の主板側の部分がインペラ回転方向前側に配置されることにより、昇圧特性を向上し、必要圧力に要する回転数を低回転化することができる。また、法線に対して外側羽根部の前側面の反主板側の部分がインペラ回転方向後側に配置されることにより、インペラ径方向外方への流れをスムーズ化することができる。よって、遠心ポンプの低回転数化とポンプ効率の向上を両立することができる。
【００１３】
第４の手段は、第１〜３のいずれか１つの手段の遠心ポンプであって、前記外側羽根部の前後方向の厚さは、反主板側の端部から主板側の端部に向けて漸増する、遠心ポンプである。
【００１４】
第４の手段によると、外側羽根部の剛性を向上し、振動及び破損の発生を抑制することができる。
【００１５】
第５の手段は、第４の手段の遠心ポンプであって、前記外側羽根部のインペラ回転方向後側に位置する後側面は、前記主板の表面に直交する平面又は後方斜め反主板側に傾く傾斜面に形成されている、遠心ポンプである。
【００１６】
第５の手段によると、インペラを成形する金型をインペラの軸方向に型割りすることができる。これにより、金型を簡素化し、生産性を向上することができる。
【００１７】
第６の手段は、モータにより回転されるインペラと、該インペラを収容するポンプ室を有するハウジングと、を備えており、前記インペラは、略円板状の主板と、該主板の表面に放射状に立設された複数枚の羽根と、を備えており、前記ハウジングは、前記インペラの羽根側の中央部に対向する方向から前記ポンプ室に流体を吸入する吸入口と、前記インペラの回転にともない前記ポンプ室の接線方向に前記流体を吐出する吐出口と、を有する遠心ポンプであって、前記羽根のインペラ径方向外側の外側羽根部において、インペラ回転方向前側に位置する前側面は、インペラ回転方向前方斜め主板側に傾く傾斜面に形成されている、遠心ポンプである。
【００１８】
第６の手段によると、インペラの羽根の外側羽根部の前側面が前方斜め主板側に傾く傾斜面に形成されている。したがって、ハウジングのポンプ室と吐出口内の吐出流路とを仕切る舌部に対して外側羽根部のインペラ径方向外端部が通過する吐出流路の開口面積が漸減される。このため、圧力の急激な上昇を緩和することができる。これにより、遠心ポンプの圧力脈動に起因する振動及び異音の発生を抑制することができる。
【００１９】
第７の手段は、第６の手段の遠心ポンプであって、前記外側羽根部の前側面において、前記主板の表面に直交しかつ該前側面の反主板側の端部を通る直線に対する傾斜角度は、インペラ径方向内側から外側に向けて漸増する、遠心ポンプである。
【００２０】
第７の手段によると、外側羽根部の前側面の内端側から外端側への傾斜により、インペラ径方向外方への流れをスムーズ化することができる。
【００２１】
第８の手段は、第６又は７の手段の遠心ポンプであって、前記インペラの表面視において、該インペラの回転中心を通りかつ前記外側羽根部のインペラ径方向内側の端部を通る法線に対して、前記外側羽根部の前側面の反主板側の部分はインペラ回転方向前側に配置されかつ該前側面の主板側の部分はインペラ回転方向後側に配置されている、遠心ポンプである。
【００２２】
第８の手段によると、インペラの表面視において、法線に対して外側羽根部の前側面の反主板側の部分がインペラ回転方向前側に配置されることにより、昇圧特性を向上し、必要圧力に要する回転数を低回転化することができる。また、法線に対して外側羽根部の少なくともインペラ径方向外側の端部の前側面の主板側の部分がインペラ回転方向後側に配置されることにより、インペラ径方向外方への流れをスムーズ化することができる。よって、遠心ポンプの低回転数化とポンプ効率の向上を両立することができる。
【００２３】
第９の手段は、第６〜８のいずれか１つの手段の遠心ポンプであって、前記外側羽根部の前後方向の厚さは、反主板側の端部から主板側の端部に向けて漸増する、遠心ポンプである。
【００２４】
第９の手段によると、外側羽根部の剛性を向上し、振動及び破損の発生を抑制することができる。
【００２５】
第１０の手段は、第９の手段の遠心ポンプであって、前記主板には、前記外側羽根部の前側面に対向する開口部が形成されている、遠心ポンプである。
【００２６】
第１０の手段によると、インペラを成形する金型をインペラの軸方向に型割りすることができる。これにより、金型を簡素化し、生産性を向上することができる。
【発明の効果】
【００２７】
本明細書に開示の技術によると、遠心ポンプの圧力脈動に起因する振動及び異音の発生を抑制することができる。
【図面の簡単な説明】
【００２８】
【図１】実施形態１にかかる遠心ポンプを一部破断して示す正面図である。
【図２】図１のII−II線矢視断面図である。
【図３】インペラを示す斜視図である。
【図４】インペラを示す上面図である。
【図５】図４のV−V線矢視断面図である。
【図６】図４のVI−VI線矢視断面図である。
【図７】図４のVII−VII線矢視断面図である。
【図８】実施形態２にかかる遠心ポンプを一部破断して示す正面図である。
【図９】図８のIX−IX線矢視断面図である。
【図１０】インペラを示す斜視図である。
【図１１】インペラを示す上面図である。
【図１２】図１１のXII−XII線矢視断面図である。
【図１３】図１１のXIII−XIII線矢視断面図である。
【図１４】図１１のXIV−XIV線矢視断面図である。
【図１５】実施形態３にかかる外側羽根部の要部を示す断面図である。
【図１６】実施形態４にかかる外側羽根部の要部を示す断面図である。
【発明を実施するための形態】
【００２９】
以下、本明細書に開示の技術を実施するための実施形態について図面を用いて説明する。
【００３０】
［実施形態１］
本実施形態では、例えば自動車等の車両に搭載されるパージポンプとして用いられる遠心ポンプを例示する。パージポンプは、キャニスタから内燃機関（エンジン）の吸気通路へのパージガスのパージ量を補填する遠心ポンプである。図１は遠心ポンプを一部破断して示す正面図、図２は図１のII−II線矢視断面図である。なお、遠心ポンプに係る方位を図１及び図２に矢印で示すとおりに定めるが、遠心ポンプの配置方向を特定するものではない。
【００３１】
（遠心ポンプの概要）
図１に示すように、遠心ポンプ１０は、略円筒状のハウジング１１を有する。ハウジング１１の上部にポンプ部１２が設けられ、その下部にモータ部１４が設けられている。
【００３２】
モータ部１４はブラシレスモータからなる。モータ部１４は、軸方向を上下方向とする回転軸１５を有する。モータ部１４は本明細書でいう「モータ」に相当する。
【００３３】
ハウジング１１の上部内には、中空短円筒状のポンプ室１７が形成されている。ポンプ室１７は、モータ部１４の回転軸１５と同心状に配置されている。ポンプ室１７は、ポンプ部１２においてハウジング１１を上下方向（軸方向）に二分割した分割部材１１ａ，１１ｂを相互に締結することによって形成されている。ポンプ室１７は、その外周部に形成されたボリュート１７ａを有する。モータ部１４の回転軸１５の出力側の端部である上端部は、下側の分割部材１１ｂを貫通してポンプ室１７内に突出されている。
【００３４】
上側の分割部材１１ａの上面部には、上方へ突出する中空円筒状の吸入口２０が形成されている。吸入口２０は、ポンプ室１７と同心状に配置されている。吸入口２０の中空部により吸入流路２０ａが形成されている。吸入流路２０ａによりポンプ室１７内外が連通されている。
【００３５】
図２に示すように、ハウジング１１の前面側の左側部には、左方へ突出する中空円筒状の吐出口２２が形成されている。吐出口２２は、平面視でハウジング１１の外周部から接線方向外方すなわち右回り方向外方へ向けて突出されている。吐出口２２の中空部により吐出流路２２ａが形成されている。吐出流路２２ａによりポンプ室１７のボリュート１７ａ内外が連通されている。ハウジング１１には、ポンプ室１７のボリュート１７ａと吐出流路２２ａとの間を仕切る舌状の仕切壁部としての舌部２４が形成されている。
【００３６】
吐出口２２の上流側開口端２２ｂは、ポンプ室１７のボリュート１７ａにオーバーラップするように形成されている。上流側開口端２２ｂは、左右方向を長くする楕円形状に形成されている（図１参照）。なお、上流側開口端２２ｂは矩形状に形成してもよい。
【００３７】
ポンプ室１７内にはインペラ３０が回転可能に収容されている。インペラ３０は、モータ部１４の回転軸１５の上端部に対して同心状に連結されている。したがって、回転軸１５の回転にともないインペラ３０が一体的に回転される。インペラ３０は、平面視で右回り方向（図２中、矢印Ｒ方向参照）に回転される。インペラ３０は樹脂製である。インペラ３０の羽根側（図１において上側）の中央部には吸入口２０が対向されている。
【００３８】
（遠心ポンプ１０の動作）
モータ部１４が外部電源からの電力の供給により駆動されると、回転軸１５とともにインペラ３０が回転されることで、流体であるパージガスが吸入口２０の吸入流路２０ａからポンプ室１７に吸入される。そのパージガスは、インペラ３０の回転によって昇圧された後、吐出口２２の上流側開口端２２ｂから吐出流路２２ａへ吐出される。このようにして、遠心ポンプ１０によりパージガスが圧送される。また、インペラ３０の回転によって昇圧されたパージガスが吐出口２２の上流側開口端２２ｂへ吐出される際、インペラ３０の羽根３６のインペラ径方向外端部が舌部２４に対向する位置を通過する。羽根３６については後述する。
【００３９】
（インペラ３０の特徴的構成）
図３はインペラを示す斜視図、図４は同じく上面図、図５は図４のV−V線矢視断面図、図６は図４のVI−VI線矢視断面図、図７は図４のVII−VII線矢視断面図である。図３に示すように、インペラ３０は、主板３２とボス３４と羽根３６とを有する。主板３２は、略円板状に形成されている。主板３２の上面には、ボス３４の周囲を取り囲む円錐台状の山状部３２ａが形成されている。主板３２の上面は本明細書でいう「表面」に相当する。ボス３４は、主板３２の上面の中央部に同心状にかつ上面開口部を閉鎖する有天円筒状に形成されている。ボス３４にモータ部１４の回転軸１５が嵌合接続されている（図２参照）。羽根３６は、主板３２の上面に放射状に複数枚立設されている。羽根３６の枚数は、例えば１２枚である。羽根３６は、主板３２の径方向に延在する平帯状に形成されている。
【００４０】
図４に示すように、羽根３６のインペラ径方向の内端部は、ボス３４にインペラ回転方向前側（矢印Ｒ方向側）にずらすように接続されている。また、インペラ３０の上面視において、羽根３６（詳しくは上端部）は、インペラ径方向の外端部がインペラ回転方向後側（矢印Ｒ方向とは反対側）に位置するように緩やかに傾斜されている。羽根３６の上端部は本明細書でいう「反主板側の端部」に相当する。羽根３６の下端部は本明細書でいう「主板側の端部」に相当する。インペラ３０の上面視は本明細書でいう「表面視」に相当する。
【００４１】
羽根３６のうち、インペラ径方向内側の羽根部分を内側羽根部３７といい、インペラ径方向外側の羽根部分を外側羽根部３８という。インペラ３０の上面視において、内側羽根部３７と外側羽根部３８との接続部分は、インペラ３０の回転中心３０ｃを通りかつ径方向に延びる直線である法線Ｎ上に配置されている。内側羽根部３７は、法線Ｎに対してインペラ回転方向前側に配置されている。内側羽根部３７と外側羽根部３８との接続部分は、外側羽根部３８のインペラ径方向内側の端部に相当する。羽根３６のインペラ回転方向前側の面を前側面といい、その回転方向後側の面を後側面という。
【００４２】
図５に示すように、内側羽根部３７の前側面３７ａ及び後側面３７ｂは、主板３２の上面に直交する平面に形成されている。本明細書でいう「直交」には略直交が含まれる。
【００４３】
図６及び図７に示すように、外側羽根部３８の前側面３８ａは、インペラ回転方向前方斜め上方（図６及び図７において左方斜め上方）に傾く傾斜面に形成されている。その前側面３８ａは、内側羽根部３７の前側面３７ａと連続的に形成されている（図３及び図４参照）。本実施形態の傾斜面は、外側羽根部３８の長手方向に直交する断面において前側面３８ａの上端部から下端部まで直線状に延びているが、緩やかな凸型円弧状あるいは凹型円弧状に形成してもよい。斜め上方は本明細書でいう「斜め反主板側」に相当する。
【００４４】
外側羽根部３８の前側面３８ａの傾斜角度３８θは、インペラ径方向内側から外側に向けて漸増している。傾斜角度３８θは、主板２２の表面に直交しかつ前側面３８ａの上端部を通る直線Ｌに対する前側面３８ａの角度である。
【００４５】
図４に示すように、インペラ３０の上面視において、法線Ｎに対して、外側羽根部３８の少なくともインペラ径方向外側の端部の前側面３８ａの下半部はインペラ回転方向前側に配置されかつ前側面３８ａの上半部はインペラ回転方向後側に配置されている（図６及び図７参照）。外側羽根部３８のインペラ径方向外側の端面は、主板３２の外周面と同一面をなしている。前側面３８ａの下半部は本明細書でいう「主板側の部分」に相当する。前側面３８ａの上半部は本明細書でいう「反主板側の部分」に相当する。
【００４６】
図６及び図７に示すように、外側羽根部３８の前後方向の厚さ３８ｔは、外側羽根部３８において上端部から下端部に向けて漸増している。外側羽根部３８の後側面３８ｂは、主板３２の上面に直交する平面に形成されている。その後側面３８ｂは、内側羽根部３７の後側面３７ｂと連続的に形成されている（図３参照）。図５に示すように、内側羽根部３７の前後方向の厚さ３７ｔは、上端部から下端部に亘って一定である。本明細書でいう「一定」には略一定が含まれる。
【００４７】
（本実施形態の利点）
本実施形態によると、インペラ３０の羽根３６の外側羽根部３８の前側面３８ａが前方斜め上方に傾く傾斜面に形成されている。したがって、ハウジング１１の舌部２４に対して外側羽根部３８のインペラ径方向外端部が通過するにともない、吐出口２２の上流側開口端２２ｂの開口面積が漸減される。このため、圧力の急激な上昇を緩和することができる。これにより、遠心ポンプ１０の圧力脈動に起因する振動及び異音の発生を抑制することができる。
【００４８】
また、外側羽根部３８の前側面３８ａの傾斜角度３８θが、インペラ径方向内側から外側に向けて漸増している。したがって、外側羽根部３８の前側面３８ａの内端側から外端側への傾斜により、インペラ径方向外方への流れをスムーズ化することができる。
【００４９】
また、インペラ３０の上面視において、インペラ３０の上面視において、法線Ｎに対して外側羽根部３８の少なくともインペラ径方向外側の端部の前側面３８ａの下半部がインペラ回転方向前側に配置されることにより、昇圧特性を向上し、必要圧力に要する回転数を低回転化することができる。また、法線Ｎに対して外側羽根部３８の前側面３８ａの上半部がインペラ回転方向後側に配置されることにより、インペラ径方向外方への流れをスムーズ化することができる。よって、遠心ポンプ１０の低回転数化とポンプ効率の向上を両立することができる。
【００５０】
また、外側羽根部３８の厚さ３８ｔは、上端部から下端部に向けて漸増している。したがって、外側羽根部３８の剛性を向上し、振動及び破損の発生を抑制することができる。
【００５１】
また、外側羽根部３８の後側面３８ｂは、主板３２の上面に直交する平面に形成されている。したがって、インペラ３０を樹脂成形する金型をインペラ３０の軸方向に型割りすることができる。これにより、金型を簡素化し、生産性を向上することができる。
【００５２】
［実施形態２］
本実施形態は、実施形態１のインペラ３０の外側羽根部３８に変更を加えたものであるから、その変更部分について説明し、重複する説明を省略する。実施形態１の変更にかかる部位には１００番台の符号を付す。図８は遠心ポンプを一部破断して示す正面図、図９は図８のIX−IX線矢視断面図、図１０はインペラを示す斜視図、図１１はインペラを示す上面図、図１２は図１１のXII−XII線矢視断面図、図１３は図１１のXIII−XIII線矢視断面図、図１４は図１１のXIV−XIV線矢視断面図である。
【００５３】
図１３及び図１４に示すように、外側羽根部１３８の前側面１３８ａは、インペラ回転方向前方斜め下方に傾く傾斜面に形成されている。斜め下方は本明細書でいう「斜め主板側」に相当する。また、内側羽根部３７は実施形態１と同様に形成されている（図１２参照）。
【００５４】
外側羽根部１３８の前側面１３８ａの傾斜角度１３８θは、インペラ径方向内側から外側に向けて漸増している。傾斜角度１３８θは、主板２２の表面に直交しかつ前側面１３８ａの上端部を通る直線Ｌに対する前側面１３８ａの角度である。
【００５５】
図１１に示すように、インペラ３０の上面視において、法線Ｎに対して、外側羽根部１３８の少なくともインペラ径方向外側の端部の前側面１３８ａの上半部はインペラ回転方向前側に配置されかつ前側面１３８ａの下半部はインペラ回転方向後側に配置されている（図１３及び図１４参照）。
【００５６】
図１３及び図１４に示すように、外側羽根部１３８の厚さ１３８ｔは、上端部から下端部に亘って一定である。また、その厚さ１３８ｔは、外側羽根部１３８のインペラ径方向内側の端部から外側の端部すなわち長手方向に亘って一定である。
【００５７】
図１０及び図１１に示すように、主板３２の外周部には、外側羽根部１３８の前側面１３８ａに対向する開口部１４０が形成されている。開口部１４０は、主板３２の外周部の板厚方向（上下方向）及びインペラ径方向外方に開口する溝状に形成されている（図１３及び図１４参照）。
【００５８】
（実施形態２の利点）
本実施形態によると、インペラ３０の羽根３６の外側羽根部１３８の前側面１３８ａが前方斜め下方に傾く傾斜面に形成されている。したがって、ハウジング１１の舌部２４（図８及び図９参照）に対して外側羽根部１３８のインペラ径方向外端部が通過するにともない、吐出口２２の上流側開口端２２ｂの開口面積が漸減される。このため、圧力の急激な上昇を緩和することができる。これにより、遠心ポンプ１０の圧力脈動に起因する振動及び異音の発生を抑制することができる。
【００５９】
また、外側羽根部１３８の前側面１３８ａの傾斜角度１３８θが、インペラ径方向内側から外側に向けて漸増している。したがって、外側羽根部１３８の前側面１３８ａの内端側から外端側への傾斜により、インペラ径方向外方への流れをスムーズ化することができる。
【００６０】
また、インペラ３０の上面視において、インペラ３０の上面視において、法線Ｎに対して外側羽根部１３８の少なくともインペラ径方向外側の端部の前側面１３８ａの上半部がインペラ回転方向前側に配置されることにより、昇圧特性を向上し、必要圧力に要する回転数を低回転化することができる。また、法線Ｎに対して外側羽根部１３８の前側面１３８ａの下半部がインペラ回転方向後側に配置されることにより、インペラ径方向外方への流れをスムーズ化することができる。よって、遠心ポンプ１０の低回転数化とポンプ効率の向上を両立することができる。
【００６１】
また、主板３２には、外側羽根部１３８の前側面１３８ａに対向する開口部１４０が形成されている。したがって、インペラ３０を樹脂成形する金型をインペラ３０の軸方向に型割りすることができる。これにより、金型を簡素化し、生産性を向上することができる。
【００６２】
［実施形態３］
本実施形態は、実施形態２のインペラ３０の外側羽根部１３８に変更を加えたものであるから、その変更部分について説明し、重複する説明を省略する。実施形態２の変更にかかる部位には２００番台の符号を付す。図１５は外側羽根部の要部を示す断面図である。図１５に示すように、外側羽根部２３８の前側面２３８ａを実施形態２の前側面１３８ａ（図１３及び図１４参照）と同様に形成する一方、外側羽根部２３８の厚さ２３８ｔが上端部から下端部に向けて漸増されている。したがって、外側羽根部２３８の剛性を向上し、振動及び破損の発生を抑制することができる。
【００６３】
［実施形態４］
本実施形態は、実施形態１のインペラ３０の外側羽根部３８及び主板３２に変更を加えたものであるから、その変更部分について説明し、重複する説明を省略する。実施形態１の変更にかかる部位には３００番台の符号を付す。図１６は外側羽根部の要部を示す断面図である。図１６に示すように、外側羽根部３３８の前側面３３８ａを実施形態１の前側面３８ａ（図６及び図７参照）と同様に形成する一方、外側羽根部３３８の厚さ３３８ｔが上端部から下端部に亘って一定とされている。これにより、外側羽根部３３８の後側面３３８ｂは、後方斜め下方に傾く傾斜面に形成されている。
【００６４】
主板３３２の外周部には、外側羽根部３３８の後側面３３８ｂに対向する開口部３４０が形成されている。開口部３４０は、主板３３２の外周部の板厚方向（上下方向）及びインペラ径方向外方に開口する溝状に形成されている。したがって、インペラ３０を樹脂成形する金型をインペラ３０の軸方向に型割りすることができる。これにより、金型を簡素化し、生産性を向上することができる。
【００６５】
［他の実施形態］
本明細書に開示の技術は、前記した実施形態に限定されるものではなく、その他各種の形態で実施可能である。例えば、遠心ポンプ１０は、パージガス以外の空気等の気体、あるいは、液体等の流体の圧送に用いるポンプに適用してもよい。また、モータ部１４のブラシレスモータは、ブラシ付きモータに代えてもよい。また、ポンプ部１２のみで遠心ポンプ１０を構成し、外部の駆動源により回転軸１５を駆動する構成としてもよい。また、インペラ３０は、樹脂製に限らず、金属製でもよい。
【符号の説明】
【００６６】
１０  遠心ポンプ
１１  ハウジング
１４  モータ部（モータ）
１７  ポンプ室
２０  吸入口
２２  吐出口
３０  インペラ
３０ｃ  回転中心
３２  主板
３６  羽根
３８  外側羽根部
３８ａ  前側面
３８ｂ  後側面
３８ｔ  厚さ
３８θ  傾斜角度
１３８  外側羽根部
１３８ａ  前側面
１３８ｂ  後側面
１３８ｔ  厚さ
１３８θ  傾斜角度
１４０  開口部
２３８  外側羽根部
２３８ａ  前側面
２３８ｂ  後側面
２３８ｔ  厚さ
３３２  主板
３３８  外側羽根部
３３８ａ  前側面
３３８ｂ  後側面
３３８ｔ  厚さ
３４０  開口部
Ｌ  直線
Ｎ  法線
【図１】
2020133534.tif 000003
【図２】
2020133534.tif 000004
【図３】
2020133534.tif 000005
【図４】
2020133534.tif 000006
【図５】
2020133534.tif 000007
【図６】
2020133534.tif 000008
【図７】
2020133534.tif 000009
【図８】
2020133534.tif 000010
【図９】
2020133534.tif 000011
【図１０】
2020133534.tif 000012
【図１１】
2020133534.tif 000013
【図１２】
2020133534.tif 000014
【図１３】
2020133534.tif 000015
【図１４】
2020133534.tif 000016
【図１５】
2020133534.tif 000017
【図１６】
2020133534.tif 000018